(57)【要約】      （修正有）【課題】フックパネルの各種プラグ受け群に取り付けられて係合され、簡便に電源プラグ又はその他の物品を掛けることができるプラグ受けフック構造を提供する。【解決手段】プラグ受けフック構造は、プラグ受け群２に取り付けられて係合状態が形成されるとともに、電源プラグ又はその他の物品を掛けるために用いるフックパネル１を含む。フックパネルは、基板１１を有し、基板は、プラグ受け群が嵌合される開口部１２を有し、開口部１２の内側縁には、プラグ受け群の縁部に係合してフックパネルを位置決めする複数の爪部端１２１が突設され、開口部の一側には、延伸したフック状のフック座１３が設けられている。開口部の内側縁に設けられた複数の爪部端１２１の厚さは、開口部の厚さより小さい。【選択図】図４
0003195353.tif 000002
【実用新案登録請求の範囲】
【請求項１】
プラグ受け群に取り付けられて係合状態が形成されるとともに、電源プラグ又はその他の物品を掛けるために用いるフックパネルを含むプラグ受けフック構造であって、
フックパネルは、基板を有し、基板は、プラグ受け群が嵌合される開口部を有し、開口部の内側縁には、プラグ受け群の縁部に係合される複数の爪部端が突設され、フックパネルは、プラグ受け群の縁部に係合されると位置決めされ、基板は、開口部の一側に位置するとともに、延伸したフック状のフック座を有することを特徴とするプラグ受けフック構造。
【請求項２】
フックパネルの開口部の内側縁に設けられた複数の爪部端の厚さは、開口部の厚さと比較して小さいことを特徴とする請求項１に記載のプラグ受けフック構造。
【請求項３】
フックパネルの開口部は、プラグ受け群全体の外観輪郭に対応した形状を有することを特徴とする請求項２に記載のプラグ受けフック構造。
【請求項４】
フックパネルの基板とフック座とは一体成形され、
フック座の表面には、フック座全体の強度を高めるために、少なくとも１つのリブが突設されていることを特徴とする請求項１に記載のプラグ受けフック構造。
【請求項５】
フック座は、フックパネルの開口部の両側に複数設けられていることを特徴とする請求項４に記載のプラグ受けフック構造。
【請求項６】
フックパネルの基板表面には、パターン層が印刷方式又は接着方式により形成されていることを特徴とする請求項１に記載のプラグ受けフック構造。
【考案の詳細な説明】
【技術分野】
【０００１】
本考案は、プラグ受けフック構造に関するものであり、さらに詳しくは、各種電源プラグ受けに取り付けられて係合され、電源プラグ又はその他の物品を吊り下げることができるフックパネルを含むプラグ受けフック構造に関するものである。
【背景技術】
【０００２】
科学技術の発展に伴い、例えば、従来型の家電、情報家電など、様々な電子機器が生活で使用される場面が増えてきており、人々の生活は次第に便利になってきている。各種従来型の家電又は情報家電に供給される電源（例えばプラグ受け）又は電源のオン・オフを制御するために用いる電源スイッチは不可欠な物の一つとなっている。
【０００３】
電源プラグ受けは日常生活でよく見かける物品であり、電気が供給される従来型の家電又は情報家電は、電気により作動されるものがほとんどである。電源プラグ受けは、電気製品と電源とを仲介するために用いられる。電源プラグ受けは、主に壁、床又は家具の何れかに取り付けられ、電源プラグ受けの表面にプラスチックパネルが掛合され、電源プラグ受けには、電極プレートを有する２つの挿入孔が形成されている。２つの挿入孔は、従来型の家電又は情報家電の電源プラグを挿入し、各種従来型の家電又は情報家電へ電気を供給する。
【考案の概要】
【考案が解決しようとする課題】
【０００４】
本考案の目的は、各種プラグ受け群に取り付けられるフックパネルに係合され、電源プラグ又はその他の物品を掛けるために用いるプラグ受けフック構造を提供することにある。
本考案のもう一つの目的は、フックパネルのプラグ受け群全体の美感を向上させるプラグ受けフック構造を提供することにある。
【課題を解決するための手段】
【０００５】
そこで、本考案は、上記の本考案の課題を解決するための鋭意検討を重ねた結果、後述の如く、プラグ受け群とフックパネルとを用いることにより、上記課題を解決できることに着目し、かかる知見に基いて本考案の完成に至った。
かくして、本考案に関し、
請求項１に係る考案によれば、プラグ受け群に取り付けられて係合状態が形成されるとともに、電源プラグ又はその他の物品を掛けるために用いるフックパネルを含むプラグ受けフック構造であって、
フックパネルは、基板を有し、基板は、プラグ受け群が嵌合される開口部を有し、開口部の内側縁には、プラグ受け群の縁部に係合される複数の爪部端が突設され、フックパネルは、プラグ受け群の縁部に係合されると位置決めされ、基板は、開口部の一側に位置するとともに、延伸したフック状のフック座を有することを特徴とするプラグ受けフック構造が提供される。
【０００６】
請求項２に係る考案によれば、
フックパネルの開口部の内側縁に設けられた複数の爪部端の厚さが、開口部の厚さと比較して小さいことを特徴とする請求項１に記載のプラグ受けフック構造が提供される。
【０００７】
請求項３に係る考案によれば、
フックパネルの開口部は、プラグ受け群全体の外観輪郭に対応した形状を有することが好ましい。特徴とする請求項２に記載のプラグ受けフック構造が提供される。
【０００８】
請求項４に係る考案によれば、
フックパネルの基板とフック座とは一体成形され、
フック座の表面には、フック座全体の強度を高めるために、少なくとも１つのリブが突設されていることを特徴とする請求項１に記載のプラグ受けフック構造が提供される。
【０００９】
請求項５に係る考案によれば、
フック座は、フックパネルの開口部の両側に複数設けられていることを特徴とする請求項４に記載のプラグ受けフック構造が提供される。
【００１０】
請求項６に係る考案によれば、
フックパネルの基板表面には、パターン層が印刷方式又は接着方式により形成されていることを特徴とする請求項１に記載のプラグ受けフック構造が提供される。
【考案の効果】
【００１１】
本考案は、上記の通りの構成からなるものであり、後述のように、簡便な操作により電源プラグ及びその他の物品を吊り下げることができ、フックパネル状に収容できるので、技術上の効果を奏することは勿論のことであるが、視覚的にも美感を起こさせることができる。
【図面の簡単な説明】
【００１２】
【図１】図１は、本考案の一実施形態に係るプラグ受けフック構造のフックパネルを示す斜視図である。
【図２】図２は、本考案の一実施形態に係るプラグ受けフック構造のフックパネルを示す正面図である。
【図３】図３は、本考案の一実施形態に係るプラグ受けフック構造のフックパネルを示す部分拡大断面図である。
【図４】図４は、本考案の一実施形態に係るプラグ受けフック構造のフックパネルを示す分解斜視図である。
【図５】図５は、本考案の他の実施形態に係るプラグ受けフック構造のフックパネルを示す斜視図である。
【図６】図６は、本考案の一実施形態に係るプラグ受けフック構造のフックパネルを示す側面図である。
【図７】図７は、本考案の一実施形態に係るプラグ受けフック構造のフックパネルの使用状態の説明図（１）である。
【図８】図８は、本考案の他の実施形態に係るプラグ受けフック構造のフックパネルの使用状態の説明図（２）である。
【図９】図９は、本考案の一実施形態に係るプラグ受けフック構造のフックパネルの基板にパターン層が増設された使用状態の説明図である。
【考案を実施するための形態】
【００１３】
まず、図１〜図３を参照する。図１〜図３に示すように、本考案の一実施形態に係るプラグ受けフック構造は、長方形、正方形、円形又は多辺形の外観輪郭を有するフックパネル１を含む。フックパネル１は、基板１１を有する。基板１１には、開口部１２が形成されている。開口部１２の内側縁には、複数の爪部端１２１が延設されている。フックパネル１の開口部１２の内側縁に設けられた複数の爪部端１２１の厚さＴ１は、開口部１２の厚さＴ２より小さく設計されている（図３参照）。基板１１には、開口部１２の一側に位置するフック状のフック座１３が延設されている。フックパネル１の基板１１とフック座１３とは一体成形されている。フックパネル１のフック座１３の表面には、フック座１３全体の強度を高めるために、少なくとも１つのリブ１３１が突設されている。また、フックパネル１全体の外観輪郭は、動物、植物、人物又はアニメを模した形状でもよい。
【００１４】
図４〜図９を参照する。図４〜図９に示すように、本考案の一実施形態に係るプラグ受けフック構造は、プラグ受け群２に取り付けられて係合状態を形成するとともに、電源プラグ３又はその他の物品４を掛けるために用いるフックパネル１を含む。
【００１５】
フックパネル１は、基板１１を有する。基板１１は、プラグ受け群２が嵌合される開口部１２を有する。開口部１２は、プラグ受け群２全体の外観輪郭に対応した形状を有するとともに、開口部１２の内側縁には、プラグ受け群２の縁部に係合される爪部端１２１が突設され、フックパネル１がプラグ受け群２の縁部に係合されて位置決め可能である。基板１１の開口部１２の一側には、フック状のフック座１３が延設されている。
【００１６】
本考案の他の実施形態では、フックパネル１のフック座１３は、フックパネル１の複数の開口部１２の両側に位置してもよい（図５参照）。
【００１７】
ここでプラグ受け群２は、市販されている様々な製品を含む。即ち、従来のプラグ受け群２の構造を例に説明すると、プラグ受け群２は、係合座２１と、係合座２１と係合されるプラグ受けパネルカバー２２と、を含む。
【００１８】
係合座２１には、少なくとも１つのプラグ受け個体２１１が装着され、固定されている。係合座２１のプラグ受け個体２１１は、電源挿入孔又は接地挿入孔でもよい。係合座２１には、少なくとも１つのスイッチ個体２１２が装着され、固定されている。係合座２１には、複数の係止孔２１３が形成されるとともに、係合座２１の縁部端には、内方へ延びた複数の凹溝２１４が形成されている。また、係合座２１には、大きめの孔を有する複数の枢着孔２１５が形成されている。複数の締結部材２１６が係合座２１の各枢着孔２１５に挿通され、係合座２１は壁、床又は家具に螺着されて取り付けられる。
【００１９】
プラグ受けパネルカバー２２は、基板２２１を含む。基板２２１は、係合座２１の各係止孔２１３に係合される複数の爪部２２２を有し、プラグ受けパネルカバー２２は係合座２１を覆って固定されている。基板２２１には、係合座２１の各プラグ受け個体２１１又は各スイッチ個体２１２が挿設される開口部２２３が形成されている。
【００２０】
フックパネル１の開口部１２は、プラグ受け群２全体の外観輪郭に対応した形状を有し、開口部１２の内側縁には、複数の爪部端１２１が突設されている。フックパネル１をプラグ受け群２に取り付ける際、フックパネル１の開口部１２がプラグ受け群２に嵌合されると、開口部１２の内側縁に設けられた各爪部端１２１が、プラグ受け群２の係合座２１の縁部端に形成された各凹溝２１４に係合され、フックパネル１がプラグ受け群２の係合座２１とプラグ受けパネルカバー２２の縁部とに係合されて位置決めし、フックパネル１に設けられたフック座１３が組み合わせられる。フック座１３の表面には、フック座１３の全体強度を高めるために、少なくとも１つのリブ１３１が突設されている（図６参照）。電子機器に電気を供給する際、まず、電源プラグ３のプラグコード３１をフックパネル１のフック座１３に掛けてから、プラグ受け群２の各プラグ受け個体２１１に電源プラグ３を挿入する。電子機器に電気を供給する必要がなくなり、電源プラグ３を引き抜く場合、フックパネル１の基板１１に設けられたフック座１３に自動的に掛けられた状態となり、電源プラグ３及びプラグコード３１が地面に落ちて乱雑になることを防ぐことができるため、近くを歩く者の邪魔にならない上、室内の美感を良くすることもできる。また、次回、電子機器に電気を供給する際、従来のように腰を屈めて電源プラグ３を拾わなくとも、プラグ受け群２の各プラグ受け個体２１１へ挿入して使用することができる（図７参照）。フックパネル１のフック座１３には、電源プラグ３以外に他の物品４（例えば、鍵、レンチ、ストラップなど）を掛けて吊り下げてもよい（図８参照）。
【００２１】
また、フックパネル１全体の外観輪郭は、長方形、正方形、円形又は多辺形であり、フックパネル１全体の外観輪郭は、動物、植物、人物又はアニメを模した形状でもよく、フックパネル１の基板１１の表面に何れか一つの形状を印刷方式又は接着方式によりパターン層１１１を形成し、プラグ受け群２全体が与える様々な視覚的感じにより美感を向上させることができる（図９参照）。
【符号の説明】
【００２２】
１  フックパネル
２  プラグ受け群
３  電源プラグ
４  物品
１１  基板
１２  開口部
１３  フック座
２１  係合座
２２  プラグ受けパネルカバー
３１  プラグコード
１１１  パターン層
１２１  爪部端
１３１  リブ
２１１  プラグ受け個体
２１２  スイッチ個体
２１３  係止孔
２１４  凹溝
２１５  枢着孔
２１６  締結部材
２２１  基板
２２２  爪部
２２３  開口部
Ｔ１  厚さ
Ｔ２  厚さ
【図１】
0003195353.tif 000003
【図２】
0003195353.tif 000004
【図３】
0003195353.tif 000005
【図４】
0003195353.tif 000006
【図５】
0003195353.tif 000007
【図６】
0003195353.tif 000008
【図７】
0003195353.tif 000009
【図８】
0003195353.tif 000010
【図９】
0003195353.tif 000011